(57)【要約】【課題】人間が生活するうえにおいて必須である「照明」の点灯／消灯をもって人間の行動を把握し、かつ、当該人間が監視されているという認識を持たずに済むようにする。【解決手段】クラウド環境下における安否確認システム１００であって、クラウドを構成するサーバ（クラウドサーバ３０）と、設置された施設及び施設内での設置箇所に係る位置ＩＤ番号が予めサーバに登録され、点灯又は消灯に応じて電波を発信する照明装置１０と、照明装置からの電波を受信し、位置ＩＤ番号に係る問い合わせをサーバに行う受信機２０と、を備え、サーバが、受信機からの位置ＩＤ番号に基づき、予め定められた条件に応じて、照明装置の点灯又は消灯に係る情報を見守り対象者の安否情報として見守り者の外部端末４０に通報する。【選択図】図１
2016218969.tif 000002
【特許請求の範囲】
【請求項１】
クラウド環境下における安否確認システムであって、
クラウドを構成するサーバと、
設置された施設及び前記施設内での設置箇所に係る位置ＩＤ番号が予め前記サーバに登録され、点灯又は消灯に応じて電波を発信する照明装置と、
前記照明装置からの前記電波を受信し、前記位置ＩＤ番号に係る問い合わせを前記サーバに行う受信機と、を備え、
前記サーバが、前記受信機からの前記位置ＩＤ番号に基づき、予め定められた条件に応じて、前記照明装置の点灯又は消灯に係る情報を見守り対象者の安否情報として見守り者の外部端末に通報することを特徴とする安否確認システム。
【請求項２】
前記位置ＩＤ番号が、前記照明装置を単位として一意的に割り振られる出荷ＩＤ番号、前記施設を単位として割り振られる施設ＩＤ番号、及び前記出荷ＩＤ番号に紐付けられ、かつ、前記施設ＩＤ番号ごとに前記設置箇所を単位として割り振られる内部管理ＩＤ番号を含むことを特徴とする請求項１に記載の安否確認システム。
【請求項３】
前記照明装置が、前記設置箇所が存する前記施設の住所、前記設置箇所の緯度経度、及び前記施設が複数階から構成される場合は前記設置箇所の階数と紐付けられて管理されていることを特徴とする請求項１又は２に記載の安否確認システム。
【請求項４】
前記照明装置が前記施設内に複数個設置されていることを特徴とする請求項１から３のいずれか１項に記載の安否確認システム。
【請求項５】
前記サーバが、前記受信機からの前記位置ＩＤ番号に基づき監視する、該当の前記照明装置の、継続点灯時間、継続消灯時間、継続点灯時間帯、継続消灯時間帯の少なくとも一つに応じて前記外部端末に前記安否情報を送信することを特徴とする請求項１に記載の安否確認システム。
【請求項６】
クラウド環境下における安否確認システムと接続された受信機であって、
点灯又は消灯に応じて電波を発信する照明装置から発信される電波を受信し、前記クラウドを構成するサーバに、前記受信した電波に含まれる前記照明装置の位置ＩＤ番号に基づく問い合わせを行う制御部を備え、
前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする受信機。
【請求項７】
照明装置と、受信機とを含む、クラウド環境下における安否確認方法であって、
前記照明装置が設置された施設、及び前記施設内での設置箇所に係る位置ＩＤ番号がクラウドを構成するサーバに登録されており、前記照明装置が、点灯又は消灯に応じて電波を発信するステップと、
前記受信機が、前記照明装置から発信される前記電波を受信し、受信した前記位置ＩＤ番号に基づく問い合わせを前記クラウドに行なうステップと、
前記サーバが、前記受信機からの前記位置ＩＤ番号に基づき、予め定められた条件に応じて、前記照明装置の点灯又は消灯に係る情報を見守り対象者の安否情報として見守り者の外部端末に通報するステップと、
を有することを特徴とする安否確認方法。
【請求項８】
クラウド環境下における安否確認システムに接続される受信機のコンピュータに、
点灯又は消灯に応じて電波を発信する照明装置から発信される電波を受信する処理と、
クラウドを構成するサーバに、前記受信した電波に含まれる前記照明装置の位置ＩＤ番号に基づく問い合わせを行う処理と、を実行させ、
前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、電子タグ発信装置が設置される施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とするプログラム。
【発明の詳細な説明】
【技術分野】
【０００１】
本発明は、例えば、高齢者や独居生活者等の見守りを必要とする人の安否を確認する、安否確認システム、受信機、安否確認方法及びプログラムに関する。
【背景技術】
【０００２】
近年、独居生活者が増加しており、特に、高齢化社会の進行に伴い、一人暮らしの高齢者、あるいは高齢者夫婦のみの世帯が増加の一途をたどっている。また、過疎化、近所づきあいいの減少等により、近隣の人々による見守りも期待できなくなり、更に、生活支援者等による支援にも限界があることから、高齢者や独居生活者の安否確認が十分に行えないことが多く、不測の事態発生に対する対応の遅れが頻発している。
【０００３】
この対策として、従来、照明装置の点灯／消灯を基に高齢者等の安否確認を離れた場所にいる見守り者に通報するシステムが知られている（例えば、特許文献１参照）。
【先行技術文献】
【特許文献】
【０００４】
【特許文献１】特開２０１２−２７７８７号公報
【発明の概要】
【発明が解決しようとする課題】
【０００５】
しかしながら、特許文献１に開示された技術によれば、照明装置に照明操作検知器等、特別な付帯装置を付加する必要があり、設置や運用上、コスト高で、煩雑になるという課題があった。また、高齢者等の要見守り者（以下、見守り対象者という）は、常に監視されているという認識があり、不快な感じを持たれることは否めない。
【０００６】
本発明は上記した課題を解決するためになされたものであり、人間が生活するうえにおいて必須である「照明」の点灯／消灯によって見守り対象者の行動を把握し、かつ、見守り対象者が常に監視されているという認識を持たずに済む、簡単で安価にシステム構築が可能な、安否確認システム、受信機、安否確認方法及びプログラムを提供することを目的とする。
【課題を解決するための手段】
【０００７】
（１）本発明の第１の観点に係る安否確認システムは、クラウド環境下における安確認システムであって、クラウドを構成するサーバと、設置された施設及び前記施設内での設置箇所に係る位置ＩＤ番号が予め前記サーバに登録され、点灯又は消灯に応じて電波を発信する照明装置と、前記照明装置からの前記電波を受信し、前記位置ＩＤ番号に係る問い合わせを前記サーバに行う受信機と、を備え、前記サーバが、前記受信機からの前記位置ＩＤ番号に基づき、予め定められた条件に応じて、前記照明装置の点灯又は消灯に係る情報を見守り対象者の安否情報として見守り者の外部端末に通報することを特徴とする。
【０００８】
（２）本発明の安否確認システムは、（１）に記載の安否確認システムであって、前記位置ＩＤ番号が、前記照明装置を単位として一意的に割り振られる出荷ＩＤ番号、前記施設を単位として割り振られる施設ＩＤ番号、及び前記出荷ＩＤ番号に紐付けられ、かつ、前記施設ＩＤ番号ごとに前記設置箇所を単位として割り振られる内部管理ＩＤ番号を含んでもよい。
【０００９】
（３）本発明の安否確認システムは、（１）または（２）に記載の安否確認システムであって、  前記照明装置が、前記設置箇所が存する前記施設の住所、前記設置箇所の緯度経度、及び前記施設が複数階から構成される場合は前記設置箇所の階数と紐付けられて管理されていてもよい。
【００１０】
（４）本発明の安否確認システムは、（１）から（３）のいずれか１項目記載の安否確認システムであって、前記照明装置が前記施設内に複数個設置されてもよい。
【００１１】
（５）本発明の安否確認システムは、（１）に記載の安否確認システムであって、前記サーバが、前記受信機からの前記位置ＩＤ番号に基づき監視する、該当の前記照明装置の、継続点灯時間、継続消灯時間、継続点灯時間帯、継続消灯時間帯の少なくとも一つに応じて前記外部端末に前記安否情報を送信してもよい。
【００１２】
（６）本発明の第２の観点に係る受信機は、クラウド環境下における安否確認システムと接続された受信機であって、点灯又は消灯に応じて電波を発信する照明装置から発信される電波を受信し、クラウドを構成するサーバに、前記受信した電波に含まれる前記照明装置の位置ＩＤ番号に基づく問い合わせを行う制御部を備え、前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。
【００１３】
（７）本発明の第３の観点に係る安否確認方法は、照明装置と、受信機とを含む、クラウド環境下における安否確認方法であって、前記照明装置が設置された施設、及び前記施設内での設置箇所に係る位置ＩＤ番号がクラウドを構成するサーバに登録されており、前記照明装置が、点灯又は消灯に応じて電波を発信するステップと、前記受信機が、前記照明装置から発信される前記電波を受信し、受信した前記位置ＩＤ番号に基づく問い合わせを前記クラウドに行なうステップと、前記サーバが、前記受信機からの前記位置ＩＤ番号に基づき、予め定められた条件に応じて前記照明装置の点灯又は消灯に係る情報を見守り対象者の安否情報として見守り者の外部端末に通報するステップと、を有することを特徴とする。
【００１４】
（８）本発明の第４の観点に係るプログラムは、クラウド環境下における安否確認システムに接続される受信機のコンピュータに、点灯又は消灯に応じて電波を発信する照明装置から発信される電波を受信する処理と、クラウドを構成するサーバに、前記受信した電波に含まれる前記照明装置の位置ＩＤ番号に基づく問い合わせを行う処理と、を実行させ、前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、前記電子タグ発信装置が設置される施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。
【発明の効果】
【００１５】
本発明によれば、人間が生活するうえにおいて必須である「照明」の点灯／消灯によって見守り対象者の行動を把握し、かつ、見守り対象者が常に監視されているという認識を持たずに済む、簡単で安価にシステム構築が可能な安否確認システム、受信機、安否確認方法及びプログラムを提供することができる。
【図面の簡単な説明】
【００１６】
【図１】本発明の実施の形態に係る安否確認システムのシステム構成を示す図である。
【図２】図１に示す照明装置から送信される位置ＩＤ番号のデータフォーマット及びクラウドサーバが有するＤＢのデータ構造の一例を示す図である。
【図３】本発明の実施の形態に係る安否確認システムの動作シーケンス図である。
【図４】図１の照明装置に実装される電子タグ発信装置の構成を示すブロック図である。
【図５】図１の受信機の内部構成を示すブロック図である。
【図６】図１の受信機の動作を示すフローチャートである。
【図７】図１のクラウドサーバの動作を示すフローチャートである。
【図８】本発明の実施の形態に係る安否確認システムにおいて使用される設定アプリ、及び受信機のブラウザの管理画面一覧の構成を示す図である。
【図９】本発明の実施の形態に係る安否確認システムにおいて使用される管理者設定画面の一例を示す図である。
【図１０】本発明の実施の形態に係る安否確認システムにおいて使用される照明装置の設置箇所設定登録画面の一例を示す図である。
【図１１】本発明の実施の形態に係る安否確認システムにおいて使用される安否通知ルールの設定登録画面の一例を示す図である。
【図１２】本発明の実施の形態に係る安否確認システムにおいて使用される照明装置の点灯／消灯履歴画面の一例を示す図である。
【発明を実施するための形態】
【００１７】
以下、添付図面を参照して本発明を実施するための実施形態（以下、単に本実施形態という）について詳細に説明する。
【００１８】
（実施形態の構成）
まず、本実施形態に係る安否確認システムの利用イメージから説明する。本発明の安否確認システムは、人間が生活するうえにおいて必須である照明装置の点灯（ＯＮ）／消灯（ＯＦＦ）を監視し、クラウドコンピューティングシステムにより蓄積されるデータ（照明装置の点灯／消灯履歴）に基づく継続点灯時間（継続点灯時間帯）や継続消灯時間（継続消灯時間帯）等により見守り対象者の行動を把握して安否確認を行い、その結果を見守り者が所持する外部端末へメッセージ送信する安否確認サービスを提供するものである。なお、見守り対象者とは、自分の意志で行動できる人をいい、見守り者とは、見守り対象者の別居家族やケアマネージャ、あるいは介護士等をいうものとする。
【００１９】
このため、見守り者は、見守り対象者である高齢者等の生活住環境である居間やトイレ等に電子タグ発信装置が実装されたＬＥＤ（Light Emitted Diode）等の照明装置を複数設置し、更に、複数個設置された照明装置のそれぞれに実装された電子タグ発信装置の電波が届く範囲内に受信機を設置する。そして、利用者は、電子タグ発信装置を使用して高齢者の安否確認を行うアプリケーションプログラム（以下、単にアプリという）をクラウドコンピューティングシステムからダウンロードにより取得し、受信機にインストールする。続いて、利用者は、取得したアプリにしたがい、受信機に対し、照明装置の設置箇所、安否確認のルール、メッセージ（メール）の配信先等の設定登録を行う。ちなみに、利用者は、照明装置の設置箇所の登録にあたり、点灯時、受信機にインストールされたアプリを起動し、その受信機を照明装置に近づけて近距離無線通信により行なう。
【００２０】
なお、照明装置は、ＬＥＤに限らず、白熱電球、蛍光灯でもよい。また、照明装置は、居間やトイレは勿論のこと、玄関、風呂、寝室等にも設置でき、これらの部屋から電波の届く範囲に受信機を設置し、照明装置同士が近接しても簡単に区別することが出来る。また、照明装置は、このシステムにより、見守り対象者の入浴時間が日常より長い（例えば、いつもは３０分だが１時間を過ぎている等）等、蓄積した照明装置毎の点灯／消灯履歴データから見守り対象者の生活リズムを割り出し、事前に登録された見守り者へメッセージを自動送信して異変を知らせる。例えば、見守り者の外部端末に、「○○様のお風呂が長いようです。ライトが１時間点灯しています。ご確認をお願いします」といった警告メッセージを送信する。
【００２１】
図１に、本実施形態に係る安否確認システム１００の構成を示す。本実施形態に係る安否確認システム１００は、クラウド環境下において安否確認サービスを提供するシステムであって、個々の照明装置１０に実装される電子タグ発信装置（以下、ＬＥＤビーコン１０ａという）の設置位置がクラウドを構成するサーバ（以下、クラウドサーバ３０という）に予め登録される。このため、各ＬＥＤビーコン１０ａは、一意に割り振られた位置ＩＤ番号が重畳された電波を発信する。
【００２２】
また、本実施形態に係る安否確認システム１００は、各ＬＥＤビーコン１０ａから発信される電波を受信し、受信した電波に重畳された位置ＩＤ番号に基づく問い合わせをクラウドサーバ３０に行なう受信機２０と、クラウドサーバ３０により生成される安否確認情報をメッセージとして受信し表示する見守り者が所持する外部端末４０とを含む。受信機２０及び外部端末４０は、モバイルネットワーク５０経由でクラウドコンピューティングシステム（クラウドサーバ３０）に接続される。なお、受信機２０は、見守り対象者を単位に設けられる。
【００２３】
ここでいう「クラウド環境下における安否確認サービス」とは、インターネットを利用したサービスを提供するクラウドコンピューティングシステムを用いて位置情報を提供するサービス形態のことをいう。事業者は、ＬＥＤビーコン１０ａ及びＬＥＤビーコン１０ａを用いたアプリを開発するだけで、自ら提供するサービスを実現するうえで必要なコンピュータ資源を保有することなく、クラウドコンピューティングシステムのコンピュータ資源（クラウドサーバ３０）を利用することでそのサービスの提供を可能にするものであり、利用者は、インターネットに接続可能な環境（受信機２０）にアプリをインストールするだけでそのサービスを享受することができる。
【００２４】
このため、事業者は、予め、ＬＥＤビーコン１０ａ毎に、出荷する施設の位置情報（設置箇所が存在する施設の住所、並びに設置箇所の緯度経度及び施設の設置する階数等）をクラウドサーバ３０に登録する。そして、その位置情報に紐づく位置ＩＤ番号を作成し、ＬＥＤビーコン１０ａに位置ＩＤ番号を付与する。そしてそのＬＥＤビーコン１０ａには、上記の設定が行われ利用される施設（家庭、オフィスまたは公共施設でもよい）へ出荷される。図２（ａ）（ｂ）に、図１に示すＬＥＤビーコン１０ａから送信される位置ＩＤ番号のデータフォーマット、クラウドサーバ３０が有するＤＢ（データベース）に格納される管理情報のデータ構造の一例が、それぞれ示されている。
【００２５】
図２（ａ）によれば、１６バイトのデータのうち、先頭の１バイトに電子タグ（ＬＥＤビーコン１０ａ）であることを示す識別子を、次の１バイトに暗号パターンの種類を示す暗号方式を、次の１３バイトに位置ＩＤ番号を、最後の１バイトにチェックデジットを割当てている。なお、識別子の情報により、位置ＩＤ番号の１３バイトの領域はデータ領域として用いることが可能であり、これは、例えば、外部インタフェースがある場合に有効である。
【００２６】
図２（ｂ）にクラウドサーバ３０が内蔵するＤＢのデータ構造の一例が示されている。図２（ｂ）によれば、デーベースに蓄積される管理情報は、位置ＩＤ番号毎に、照明装置１０を単位として一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号を含む。また、照明装置１０が、設置箇所が存する施設の住所、設置箇所の緯度経度、及び施設が複数階から構成される場合は、設置箇所の階数と紐付けられて管理されている。
【００２７】
すなわち、同じ施設内では、同施設ＩＤ番号となり、施設ＩＤ番号に枝分かれして、施設の設置箇所ごとに内部管理ＩＤ番号が割り振られる。家庭の居住空間を施設として捉えれば、施設内の各部屋は、施設ＩＤ番号がＡ、内部管理ＩＤ番号１〜３が、居間、トイレ、風呂場にそれぞれ割り振られている。
【００２８】
また、施設に設置済みのＬＥＤビーコン１０ａに事故、例えば故障が生じたときを想定する。この場合、故障が生じたＬＥＤビーコン１０ａが、新たに出荷される装置と交換されるため、異なる出荷ＩＤ番号が割り振られた別のＬＥＤビーコン１０ａになる。この場合、故障したＬＥＤビーコン１０ａの出荷ＩＤ番号を参照することで、同一の施設ＩＤ番号及び内部管理ＩＤ番号が割り振られたＬＥＤビーコン１０ａを出荷することが可能になり、故障時にもサービスに影響がでない。なお、施設内に複数のＬＥＤビーコン１０ａを設置し、複数の内部管理ＩＤ番号を有することで、新しい装置の出荷までの時間帯のサービス停止もなくなる。
【００２９】
以下、図３のシーケンス図を参照しながら本実施形態に係る安否確認システム１００の処理動作について説明する。まず、管理者である見守り者等が受信機２０を操作してクラウドサーバ３０をアクセスすることにより、クラウドサーバ３０からアプリ（本実施形態に係る受信機プログラム）をダウンロードにより取得する。そして、見守り者が、受信機２０に表示される、例えば、図８の左欄に画面構成の一例示す設定アプリの設定画面を参照し、「管理者設定」を選択すると、図９に画面構成の一例を示す管理者設定画面に遷移する。ここで、見守り者が必要情報を入力すると、クラウドサーバ３０から管理画面をアクセスするために必要なＵＲＬ（Uniform Resource Locator）、及び利用者ＩＤ，パスワードを取得することができる。
【００３０】
見守り者は、取得したＵＲＬ等に基づき管理画面にログインすると（ステップＳ１０）、受信機２０のブラウザを介して図８の右欄に画面構成の一例を示す管理画面メニューが表示される。続いて見守り者は、メニュー選択により、クラウドサーバ３０に、照明装置の設置箇所の設定（居間かトイレか風呂場か等）、安否通知ルールの設定、通知先の設定等、管理画面の設定登録を行う（ステップＳ１１）。なお、見守り者は、メニュー選択により、蓄積したデータに基づき、例えば、図１２にその画面構成の一例を示す照明装置１０のＯＮ／ＯＦＦ履歴の参照も可能である。ここで設定登録された情報は、クラウドサーバ３０に送信される（ステップＳ１２）。
【００３１】
クラウドサーバ３０は、受信機２０により送信された設定登録情報からＤＢに記憶する管理情報を生成する（ステップＳ１３）。ここでいう管理情報とは、図２（ｂ）に示す、施設内に設置されたＬＥＤビーコン１０ａの位置ＩＤ番号毎に一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号の組である。また、照明装置１０が、設置箇所が存する施設の住所、設置箇所の緯度経度、及び施設が複数階から構成される場合は設置箇所の階数と紐付けられて管理されてもよい。
【００３２】
以上の前処理の後、受信機２０が、ある照明装置の点灯を契機にＬＥＤビーコン１０ａからユニークな位置ＩＤ番号を含む電波を、その電波の受信可能範囲内で受信したとする（ステップＳ１４）。電波を受信した受信機２０は、クラウドサーバ３０に問い合わせを行う（ステップＳ１５）。なお、クラウドサーバ３０は、受信機２０から問い合わせを受信する毎に該当の照明装置１０の点灯／消灯履歴を蓄積しており、その履歴を参照することにより、設定登録された安否通知ルールに基づき安否情報の生成を行う（ステップＳ１６）。
【００３３】
クラウドサーバ３０は、受信機２０から問い合わせを受けると、該当の照明装置１０の点灯／消灯履歴を参照し、予め設定登録された安否通知ルールにしたがい、例えば、トイレの照明装置１０が１時間以上継続して点灯していた場合、異常（トイレで倒れているかもしれない）と判定し、あるいは、夜間の７時から１０時に居間の照明が点灯しない場合、異常（寝込んでいるかもしれない）と判定し、例えば、図１に示すように、「○○さんがライトを利用されていないようです。時間：○時○分〜○時○分。ご確認願います。○○さんの連絡先０９０−××××−××××」のようなメッセージ（安否確認メール）を生成し（ステップＳ１７）、予め通知者設定された見守り者が所持する外部端末４０へ送信する（ステップＳ１７）。この安否確認メールは、外部端末４０に表示され、これを閲覧した見守り者は、電話連絡、あるいは現地に出向いて見守り者の安否確認が可能である（ステップＳ１８）。
【００３４】
図４にＬＥＤビーコン１０ａの構成が示されている。ＬＥＤビーコン１０ａは、制御部１００ａと、ＲＦ（Radio  Frequency）部１０１ａとを含み構成される。ＲＦ部１０１ａは、不図示の信号源、変調回路、電力増幅器を含む電波生成のための高周波エネルギーを発生する高周波回路である。本実施形態では、２．４ＧＨｚ帯の周波数を用い、半径１０〜１００ｍ範囲内に位置するＢｌｕｅｔｏｏｔｈ（登録商標）搭載機器（受信機２０）に対し、制御部１００ａによる制御の下で生成される電波を送信する。ここでは、ボタン電池１個のみで数年駆動を可能とするバーション４．０のＢｌｕｅｔｏｏｔｈ（登録商標）規格に準拠した単方向送信の仕様とする。
【００３５】
制御部１００ａは、照明装置１０の設置箇所（居間、トイレ、寝室、玄関等）を特定する位置ＩＤ番号をブロードキャスト送信するが、このとき、位置ＩＤ番号を１以上の暗号化パターンで暗号化し、この暗号化パターンの種類を示す情報を付加して送信する。このため、制御部１００ａは、図２（ａ）に示すデータフォーマットからなる位置ＩＤ番号をＲＦ部１０１ａにより生成される電波に重畳させて送信する制御を行う。
【００３６】
なお、制御部１００ａは、位置ＩＤ番号を含む情報をｎ秒周期で送信する中で、ｍ秒（但し、ｎ＞ｍ）シフトして送信する周期をランダムに挿入して送信する制御も行なう。これは、複数のＬＥＤビーコン１０ａが同時に電波を発信すると、受信機２０で一方のＬＥＤビーコン１０ａからのデータを処理しても他方のＬＥＤビーコン１０ａからのデータを処理できない事態に陥ることに起因する。すなわち、Ｂｌｕｅｔｏｏｔｈ（登録商標）の仕様ではコリジョン（アクセスの衝突）が発生した場合、先に受信した方を優先的に処理して僅かでも遅れた方を処理しないことがあるためである。このため、例えば、２秒の発信周期とし、その中で、時々、例えば０．５秒から１秒程度シフトした周期を挿入することで、複数のＬＥＤビーコン１０ａが同時に電波を発信してしまい他方を処理することができなくなるリスクを回避することができる。
【００３７】
なお、ＬＥＤビーコン１０ａが発信するデータは、傍受による不正利用を防ぐことを目的とした場合、定期的に変更することが求められる。そのため、暗号方式を一定期間で自動変更する処理を行うことで、傍受のリスクを低減できる。
【００３８】
図５に受信機２０の構成を示す。図５に示すように、受信機２０は、制御部２００と、記憶部２１０と、通信部２２０と、操作部２３０と、表示部２４０と、近距離無線通信部２５０とを含み構成される。受信機２０は、ＬＥＤビーコン１０ａから発信される電波の受信許容範囲内に設置され、スマートホン、あるいは固定した場所に据え付けられるネットワーク接続環境を有する専用機で構成される。
【００３９】
制御部２００は、例えば、マイクロプロセッサで構成され、記憶部２１０のプログラム領域にインストールされたアプリを逐次読み出し実行することにより、ＬＥＤビーコン１０ａから位置ＩＤ番号を取得して認識し、当該認識した位置ＩＤ番号に基づきクラウドサーバ３０に問い合わせを行う受信機２０としての機能を実行する。ここで問い合わせとは、クラウドサーバ３０により蓄積される照明装置１０毎の点灯／消灯履歴の作成及び参照要求をいう。
【００４０】
このため、制御部２００が実行するアプリの機能をブロック展開して示せば、ＩＤ番号認識部２０１と、アプリケーション実行制御部２０２とを含み構成される。ＩＤ番号認識部２０１は、施設内に設置されたＬＥＤビーコン１０ａから、電波によってブロードキャスト送信される、照明装置１０の設置箇所が特定される位置ＩＤ番号を取得し、認識してアプリケーション実行制御部２０２に引き渡す。
【００４１】
アプリケーション実行制御部２０２は、ＩＤ番号認識部２０１が認識した位置ＩＤ番号に基づきクラウドサーバ３０に該当する照明装置１０の点灯／消灯履歴の問い合わせを行なう。クラウドサーバ３０は、その問い合わせに基づき、蓄積した該当の照明装置１０の点灯／消灯履歴を参照して見守り対象者の安否確認情報を生成し、その安否確認情報をモバイルネットワーク５０経由で見守り者が所持する外部端末４０へ送信する。また、アプリケーション実行制御部２０２は、受信機２０が上記の機能を実現するため、予め見守り者等によって入力される、照明装置１０の設置箇所、安否通知ルール、通知先の設定登録も行なう。制御部２００は、更に、ＬＥＤビーコン１０ａから受信した電波の電波強度（ＲＳＳＩ：Received  Signal  Strength  Indication）を測定する電波強度測定部２０３を含んでもよい。
【００４２】
記憶部２１０には、本実施形態に係る受信機２０のプログラム（アプリ）が格納されるプログラム領域の他に、作業領域が割当てられ、記憶されている。プログラム領域に格納される受信機プログラムは、少なくとも、照明装置１０の点灯／消灯に応じて電波を発信する、照明装置１０から発信される電波を受信する処理手順と、クラウドコンピューティングシステムを構成するクラウドサーバ３０に、受信した電波に含まれＬＥＤビーコン１０ａの位置ＩＤ番号に基づく問い合わせを行う処理手順と、を含む。なお、クラウドサーバ３０が、受信機２０からの位置ＩＤ番号に基づき、予め定められた条件（安否通知ルール）に応じて、照明装置１０の点灯／消灯に係る履歴情報を見守り対象者の安否情報として見守り者の外部端末４０に通報するために、位置ＩＤ番号は、ＬＥＤビーコン１０ａを単位として一意的に割り振られる出荷ＩＤ番号、ＬＥＤビーコン１０ａが設置される施設を単位として割り振られる施設ＩＤ番号、及び出荷ＩＤ番号に紐付けられ、かつ、施設ＩＤ番号ごとに施設における設置箇所を単位として割り振られる内部管理ＩＤ番号を含む。
【００４３】
作業領域には、受信機ブログラムの実行過程で生成される各種データが格納される。ここに格納されるデータは、例えば、予め見守り者によって設定登録される、照明装置１０の設置箇所、安否通知ルール、通知先等の情報であり、また、問い合わせの履歴、ＶＲＡＭ（Video RAM）等である。なお、記憶部２１０には、例えば、半導体記憶素子、磁気、あるいは光記憶素子が実装される。
【００４４】
通信部２２０は、無線通信システムを捕捉し、モバイルネットワーク５０に接続される不図示の基地局との間で無線通信を行い、各種データの送受信を行う。ここで、各種データとは、音声通話時の音声データ、メール送受信時のメールデータ、Ｗｅｂ（World  Wide  Web）閲覧時のＷｅｂページデータ等である。通信部２２０は、例えば、ＴＣＰ／ＩＰ（Transmission  Control  Protocol／Internet  Protocol）に準拠したプロトコルにしたがい、モバイルネットワーク５０を経由してクラウドサーバ３０との間で通信を行う。
【００４５】
操作部２３０は、例えば、電源キー、通話キー、数字キー、文字キー、方向キー（左右上下）、決定キー、発信キー等、各種の機能が割り当てられたキースイッチを有しており、これらのキーがユーザによって操作された場合に、その操作内容に対応する信号を生成し、これをユーザの指示として制御部２００に出力する。表示部２４０は、多数の画素（複数色の発光素子の組み合わせ）を縦横に配して構成される、例えばＬＣＤ（Liquid  Crystal  Display  Device）や有機ＥＬ（Electro-Luminescence）を用いて構成されており、制御部２００により生成され、記憶部２１０の所定の領域（ＶＲＡＭ領域）に書き込まれた情報を表示する。
【００４６】
なお、上記した操作部２３０と表示部２４０は、タッチパネルで実現してもよい。この場合、タッチバネル上に表示されるメニューアイコンの中からユーザが選択操作することにより、照明装置１０の設置箇所、安否通知ルール、通知先等の設定登録が行われ、例えば、図８（ａ）（ｂ）、図９〜図１２に示す画像を表示することができる。
【００４７】
近距離無線通信部２５０は、ＬＥＤビーコン１０ａにより発信される電波を受信し、重畳された位置ＩＤ番号を抽出して制御部２００に引き渡す。近距離無線通信部２５０は、Ｂｌｕｅｔｏｏｔｈ（登録商標）に準拠して通信を行うものとし、本来は、２．４ＧＨｚ帯を７９の周波数チャネルに分け、利用する周波数をランダムに変える周波数ホッピングを行いながら、半径１０〜１００ｍ範囲に位置する他のＢｌｕｅｔｏｏｔｈ（登録商標）機器と、最大２４ｂｐｓで双方向無線通信が可能であるが、ここでは、同規格でＬＥＤビーコン１０ａからの電波受信の単方向無線通信のみ使用することにする。
【００４８】
（実施形態の動作）
以下、図６のフローチャートを参照しながら本実施形態に係る受信機２０の動作すなわち安否確認方法について詳細に説明する。
【００４９】
ここでは、見守り者等が既に管理者の設定登録を済ませており、クラウドサーバ３０から管理画面のＵＲＬ等を取得しているものとする。見守り者が受信機２０を操作してクラウドサーバ３０のＵＲＬに基づく管理画面にログインすると（ステップＳ１０１）、受信機２０のブラウザに、図８（ｂ）に画面構成の一例を示す管理画面メニューが表示される。見守り者は、メニュー選択により、クラウドサーバ３０に、照明装置の設置箇所の設定（ステップＳ１０２）、安否通知ルールの設定（ステップＳ１０３）、通知先の設定（ステップＳ１０４）等、管理画面の設定登録を行う。なお、設定登録の順序は任意である。ここで設定登録された情報は、クラウドサーバ３０に逐一送信される（ステップＳ１０５）。
【００５０】
上記の設定登録操作後、受信機２０は、近距離無線通信部２５０が、ＬＥＤビーコン１０ａから発信される電波の監視を開始する（ステップＳ１０６）。近距離無線通信部２５０は、電波の受信を検知すると、この電波に重畳され、図２（ａ）に示すデータフォーマットからなる位置ＩＤ番号を制御部２００に引き渡す。これを受け、制御部２００は、ＩＤ番号認識部２０１がその位置ＩＤ番号を取得し、先頭バイトに示される識別子を参照して電子タグであることを識別すると、続く位置ＩＤ番号を、暗号方式で定義された暗号パターンに基づき復号してアプリケーション実行制御部２０２に引き渡す（ステップＳ１０７）。
【００５１】
アプリケーション実行制御部２０２は、通信部２２０を起動して、モバイルネットワーク５０経由でクラウドサーバ３０に接続し、復号した位置ＩＤ番号に基づく照明装置１０の点灯／消灯履歴の問い合わせを行う（ステップＳ１０８）。なお、クラウドサーバ３０は、受信機２０から問い合わせを受信する毎に該当の照明装置１０の点灯（消灯）履歴を蓄積しており、その履歴を参照することにより、設定登録された安否通知ルールに基づく安否情報の生成を行う。
【００５２】
図７に、クラウドサーバ３０の処理手順が示されている。図７によれば、クラウドサーバ３０は、受信機２０から管理画面へのログイン要求を受信すると（ステップＳ２０１“ＹＥＳ”）、図９〜図１１にその画面構成の一例を示す、照明装置１０の設置箇所、安否通知ルール、通知先設定のための管理画面情報をそれぞれ生成し、要求のあった受信機２０へ送信する（ステップＳ２０２）。続いて、受信機２０からその管理画面に対する必要情報の入力があると（ステップＳ２０３“ＹＥＳ”）、その設定登録情報を取り込み、ＤＢに記憶するための管理情報を生成する（ステップＳ２０４）。
【００５３】
ここでいう管理情報とは、図２（ｂ）に示す、施設内に設置されたＬＥＤビーコン１０ａの位置ＩＤ番号毎に、一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号の組である。また、照明装置１０が、設置箇所が存する施設の住所、設置箇所の緯度経度、及び施設が複数階から構成される場合は設置箇所の階数と紐付けられて管理されてもよい。
【００５４】
一方、クラウドサーバ３０は、受信機２０から位置ＩＤ番号に基づく問い合わせを受信すると（ステップＳ２０５“ＹＥＳ”）、蓄積された該当の照明装置１０の点灯／消灯履歴を参照し、事前に設定登録された安否通知ルールに基づき安否確認情報を生成する（ステップＳ２０６）。クラウドサーバ３０は、予め設定登録された安否通知ルールにしたがい、例えば、トイレ照明が１時間以上継続して点灯していた場合に異常（トイレで倒れているかもしれない）と判定し、あるいは、夜間の７時から１０時に居間の照明が点灯しない場合に異常（寝込んでいるかもしれない）と判定し、例えば、図１に示すように、「○○さんがライトを利用されていないようです。時間：○時○分〜○時○分。ご確認願います。○○さんの連絡先０９０−××××−××××」のようなメッセージ（安否確認メール）を生成し、モバイルネットワーク５０経由で、予め通知先設定された見守り者の外部端末４０へ送信する（ステップＳ２０７）。この安否確認メールは、外部端末４０に表示され、これを閲覧した見守り者は、電話連絡、あるいは現地に出向いて見守り対象者の安否確認が可能である。
【００５５】
（実施形態の効果）
以上説明のように本実施形態に係る安否確認システム１００は、クラウド環境下における安否確認システム１００であって、クラウドを構成するサーバ（クラウドサーバ３０）と、設置された施設及び施設内での設置箇所に係る位置ＩＤ番号が予めサーバに登録され、点灯又は消灯に応じて電波を発信する照明装置１０（ＬＥＤビーコン１０ａが実装されている）と、照明装置１０からの電波を受信し、位置ＩＤ番号に係る問い合わせをクラウドサーバ３０に行う受信機２０と、により構築される。そして、そのクラウドサーバ３０が、受信機２０からの位置ＩＤ番号に基づき、予め定められた条件（安否通知ルール）に応じて、照明装置１０の点灯／消灯に係る情報を見守り対象者の安否情報として見守り者の外部端末４０に通報する。したがって、本実施形態に係る安否確認システム１００によれば、人間が生活するうえにおいて必須である「照明」の点灯／消灯によって見守り対象者の行動を把握することができ、かつ、監視カメラ等を必要としないため見守り対象者が常に監視されているという認識を持たずに済む、簡単で安価にシステム構築が可能である。
【００５６】
また、本実施形態に係る安否確認システム１００によれば、特に、事業者サイドは、クラウドコンピューティングシステムの利用により、必要なコンピュータ資源（事業者管理サーバ）の保有が不要で同じ位置情報サービスが提供できるため、そのための維持管理コストの削減が可能になる。また、経年劣化により、照明装置１０に実装される電子タグ発信装置（ＬＥＤビーコン１０ａ）の故障は無視できないが、この場合、故障したＬＥＤビーコン１０ａの出荷ＩＤ番号を参照することで、同じ内部管理ＩＤ番号を付与したＬＥＤビーコン１０ａで代替することが可能になるため、サービスを一時停止する等の処置も不要になって連続したサービスを提供できる。なお、施設内に複数のＬＥＤビーコン１０ａを設置し、複数の内部管理ＩＤ番号を有することで、新しい装置の出荷までの時間帯のサービス停止もなくなる。
【００５７】
また、本実施形態に係る受信機２０は、クラウド環境下における安否確認システム１００と接続された受信機２０である。そして、その受信機２０は、点灯又は消灯に応じて電波を発信する照明装置１０（ＬＥＤビーコン１０ａが実装されている）から発信される電波を受信し、クラウドを構成するサーバ（クラウドサーバ３０）に、受信した電波に含まれる照明装置１０の位置ＩＤ番号に基づく問い合わせを行う制御部（ＩＤ番号認識部２０１とアプリケーション実行制御部２０２）を備える。そして、クラウドサーバ３０が、当該受信機２０からの位置ＩＤ番号に基づき、予め定められた条件（安否通知ルール）に応じて、照明装置１０の点灯又は消灯に係る情報を見守り対象者の安否情報として見守り者の外部端末４０に通報するために、位置ＩＤ番号が、照明装置１０を単位として一意的に割り振られる出荷ＩＤ番号、施設を単位として割り振られる施設ＩＤ番号、及び出荷ＩＤ番号に紐付けられ、かつ、施設ＩＤ番号ごとに前記設置箇所を単位として割り振られる内部管理ＩＤ番号を含む。
【００５８】
本実施形態に係る受信機２０によれば、受信機２０が、照明装置１０とクラウドコンピューティングシステム（クラウドサーバ３０）とを仲介する構成とすることで、簡単で安価に安否確認システム１００の構築が可能になる。具体的に、クラウドサーバ３０は、受信機２０に対し、照明装置１０の設置箇所、安否通知ルール、通知先等を設定登録する環境を提供して管理者に設定登録を促し、照明装置１０毎に実装される電子タグ発信装置（ＬＥＤビーコン１０ａ）からの電波を受信してクラウドサーバ３０に問い合わせを行うだけで、照明装置１０の点灯又は消灯に係る情報を見守り対象者の安否情報として見守り者の外部端末４０に通報することができる。すなわち、人間が生活するうえにおいて必須である「照明」の点灯／消灯によって見守り対象者の行動を把握することができ、かつ、この仕組みによれば、見守り対象者は監視されているという認識を持たずに済み、苦痛を感じることはない。
【００５９】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６０】
１０    照明装置
１０ａ  電子タグ発信装置（ＬＥＤビーコン）
２０    受信機
３０    クラウドサーバ
４０    外部端末
５０    モバイルネットワーク
１００ａ  制御部（電子タグ発信装置）
１０１ａ  ＲＦ部
２００  制御部（受信機）
２０１    ＩＤ番号認識部
２０２    アプリケーション実行制御部
２０３    電波強度測定部
２１０    記憶部
２２０    通信部
２３０    操作部
２４０    表示部
２５０    近距離無線通信部
【図１】
2016218969.tif 000003
【図２】
2016218969.tif 000004
【図３】
2016218969.tif 000005
【図４】
2016218969.tif 000006
【図５】
2016218969.tif 000007
【図６】
2016218969.tif 000008
【図７】
2016218969.tif 000009
【図８】
2016218969.tif 000010
【図９】
2016218969.tif 000011
【図１０】
2016218969.tif 000012
【図１１】
2016218969.tif 000013
【図１２】
2016218969.tif 000014
【手続補正書】
【提出日】平成27年6月25日(2015.6.25)
【手続補正１】
【補正対象書類名】明細書
【補正対象項目名】全文
【補正方法】変更
【補正の内容】
【発明の詳細な説明】
【技術分野】
【０００１】
本発明は、例えば、高齢者や独居生活者等の見守りを必要とする人の安否を確認する、安否確認システム、受信機、安否確認方法及びプログラムに関する。
【背景技術】
【０００２】
近年、独居生活者が増加しており、特に、高齢化社会の進行に伴い、一人暮らしの高齢者、あるいは高齢者夫婦のみの世帯が増加の一途をたどっている。また、過疎化、近所づきあいの減少等により、近隣の人々による見守りも期待できなくなり、更に、生活支援者等による支援にも限界があることから、高齢者や独居生活者の安否確認が十分に行えないことが多く、不測の事態発生に対する対応の遅れが頻発している。
【０００３】
この対策として、従来、照明装置の点灯／消灯を基に高齢者等の安否確認を離れた場所にいる見守り者に通報するシステムが知られている（例えば、特許文献１参照）。
【先行技術文献】
【特許文献】
【０００４】
【特許文献１】特開２０１２−２７７８７号公報
【発明の概要】
【発明が解決しようとする課題】
【０００５】
しかしながら、特許文献１に開示された技術によれば、照明装置に照明操作検知器等、特別な付帯装置を付加する必要があり、設置や運用上、コスト高で、煩雑になるという課題があった。また、高齢者等の要見守り者（以下、見守り対象者という）は、常に監視されているという認識があり、不快な感じを持たれることは否めない。
【０００６】
本発明は上記した課題を解決するためになされたものであり、人間が生活するうえにおいて必須である「照明」の点灯／消灯によって見守り対象者の行動を把握し、かつ、見守り対象者が常に監視されているという認識を持たずに済む、簡単で安価にシステム構築が可能な、安否確認システム、受信機、安否確認方法及びプログラムを提供することを目的とする。
【課題を解決するための手段】
【０００７】
（１）本発明の第１の観点に係る安否確認システムは、クラウド環境下における安否確認システムであって、クラウドを構成するサーバと、設置された施設及び前記施設内での設置箇所に係る位置ＩＤ番号が予め前記サーバに登録され、点灯又は消灯に応じて電波を発信する照明装置と、前記照明装置からの前記電波を受信し、前記位置ＩＤ番号に係る問い合わせを前記サーバに行う受信機と、を備え、前記サーバが、前記受信機からの前記位置ＩＤ番号に基づき、予め定められた条件に応じて、前記照明装置の点灯又は消灯に係る情報を見守り対象者の安否情報として見守り者の外部端末に通報することを特徴とする。
【０００８】
（２）本発明の安否確認システムは、（１）に記載の安否確認システムであって、前記位置ＩＤ番号が、前記照明装置を単位として一意的に割り振られる出荷ＩＤ番号、前記施設を単位として割り振られる施設ＩＤ番号、及び前記出荷ＩＤ番号に紐付けられ、かつ、前記施設ＩＤ番号ごとに前記設置箇所を単位として割り振られる内部管理ＩＤ番号を含んでもよい。
【０００９】
（３）本発明の安否確認システムは、（１）または（２）に記載の安否確認システムであって、  前記照明装置が、前記設置箇所が存する前記施設の住所、前記設置箇所の緯度経度、及び前記施設が複数階から構成される場合は前記設置箇所の階数と紐付けられて管理されていてもよい。
【００１０】
（４）本発明の安否確認システムは、（１）から（３）のいずれか１項に記載の安否確認システムであって、前記照明装置が前記施設内に複数個設置されてもよい。
【００１１】
（５）本発明の安否確認システムは、（１）に記載の安否確認システムであって、前記サーバが、前記受信機からの前記位置ＩＤ番号に基づき監視する、該当の前記照明装置の、継続点灯時間、継続消灯時間、継続点灯時間帯、継続消灯時間帯の少なくとも一つに応じて前記外部端末に前記安否情報を送信してもよい。
【００１２】
（６）本発明の第２の観点に係る受信機は、クラウド環境下における安否確認システムと接続された受信機であって、点灯又は消灯に応じて電波を発信する照明装置から発信される電波を受信し、クラウドを構成するサーバに、前記受信した電波に含まれる前記照明装置の位置ＩＤ番号に基づく問い合わせを行う制御部を備え、前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。
【００１３】
（７）本発明の第３の観点に係る安否確認方法は、照明装置と、受信機とを含む、クラウド環境下における安否確認方法であって、前記照明装置が設置された施設、及び前記施設内での設置箇所に係る位置ＩＤ番号がクラウドを構成するサーバに登録されており、前記照明装置が、点灯又は消灯に応じて電波を発信するステップと、前記受信機が、前記照明装置から発信される前記電波を受信し、受信した前記位置ＩＤ番号に基づく問い合わせを前記クラウドに行なうステップと、前記サーバが、前記受信機からの前記位置ＩＤ番号に基づき、予め定められた条件に応じて前記照明装置の点灯又は消灯に係る情報を見守り対象者の安否情報として見守り者の外部端末に通報するステップと、を有することを特徴とする。
【００１４】
（８）本発明の第４の観点に係るプログラムは、クラウド環境下における安否確認システムに接続される受信機のコンピュータに、点灯又は消灯に応じて電波を発信する照明装置から発信される電波を受信する処理と、クラウドを構成するサーバに、前記受信した電波に含まれる前記照明装置の位置ＩＤ番号に基づく問い合わせを行う処理と、を実行させ、前記サーバが、前記受信機からの前記位置ＩＤ番号に基づき、予め定められた条件に応じて、前記照明装置の点灯又は消灯に係る情報を見守り対象者の安否情報として見守り者の外部端末に通報するために、前記位置ＩＤ番号が、前記照明装置を単位として一意的に割り振られる出荷ＩＤ番号、前記電子タグ発信装置が設置される施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。
【発明の効果】
【００１５】
本発明によれば、人間が生活するうえにおいて必須である「照明」の点灯／消灯によって見守り対象者の行動を把握し、かつ、見守り対象者が常に監視されているという認識を持たずに済む、簡単で安価にシステム構築が可能な安否確認システム、受信機、安否確認方法及びプログラムを提供することができる。
【図面の簡単な説明】
【００１６】
【図１】本発明の実施の形態に係る安否確認システムのシステム構成を示す図である。
【図２】図１に示す照明装置から送信される位置ＩＤ番号のデータフォーマット及びクラウドサーバが有するＤＢのデータ構造の一例を示す図である。
【図３】本発明の実施の形態に係る安否確認システムの動作シーケンス図である。
【図４】図１の照明装置に実装される電子タグ発信装置の構成を示すブロック図である。
【図５】図１の受信機の内部構成を示すブロック図である。
【図６】図１の受信機の動作を示すフローチャートである。
【図７】図１のクラウドサーバの動作を示すフローチャートである。
【図８】本発明の実施の形態に係る安否確認システムにおいて使用される設定アプリ、及び受信機のブラウザの管理画面一覧の構成を示す図である。
【図９】本発明の実施の形態に係る安否確認システムにおいて使用される照明装置の設置箇所設定登録画面の一例を示す図である。
【図１０】本発明の実施の形態に係る安否確認システムにおいて使用される安否通知ルールの設定登録画面の一例を示す図である。
【図１１】本発明の実施の形態に係る安否確認システムにおいて使用される管理者設定画面の一例を示す図である。
【図１２】本発明の実施の形態に係る安否確認システムにおいて使用される照明装置の点灯／消灯履歴画面の一例を示す図である。
【発明を実施するための形態】
【００１７】
以下、添付図面を参照して本発明を実施するための実施形態（以下、単に本実施形態という）について詳細に説明する。
【００１８】
（実施形態の構成）
まず、本実施形態に係る安否確認システムの利用イメージから説明する。本発明の安否確認システムは、人間が生活するうえにおいて必須である照明装置の点灯（ＯＮ）／消灯（ＯＦＦ）を監視し、クラウドコンピューティングシステムにより蓄積されるデータ（照明装置の点灯／消灯履歴）に基づく継続点灯時間（継続点灯時間帯）や継続消灯時間（継続消灯時間帯）等により見守り対象者の行動を把握して安否確認を行い、その結果を見守り者が所持する外部端末へメッセージ送信する安否確認サービスを提供するものである。なお、見守り対象者とは、自分の意志で行動できる人をいい、見守り者とは、見守り対象者の別居家族やケアマネージャ、あるいは介護士等をいうものとする。
【００１９】
このため、見守り者は、見守り対象者である高齢者等の生活住環境である居間やトイレ等に電子タグ発信装置が実装されたＬＥＤ（Light Emitting Diode）等の照明装置を複数設置し、更に、複数個設置された照明装置のそれぞれに実装された電子タグ発信装置の電波が届く範囲内に受信機を設置する。そして、利用者は、電子タグ発信装置を使用して高齢者の安否確認を行うアプリケーションプログラム（以下、単にアプリという）をクラウドコンピューティングシステムからダウンロードにより取得し、受信機にインストールする。続いて、利用者は、取得したアプリにしたがい、受信機に対し、照明装置の設置箇所、安否確認のルール、メッセージ（メール）の配信先等の設定登録を行う。ちなみに、利用者は、照明装置の設置箇所の登録にあたり、点灯時、受信機にインストールされたアプリを起動し、その受信機を照明装置に近づけて近距離無線通信により行なう。
【００２０】
なお、照明装置は、ＬＥＤに限らず、白熱電球、蛍光灯でもよい。また、照明装置は、居間やトイレは勿論のこと、玄関、風呂、寝室等にも設置でき、これらの部屋から電波の届く範囲に受信機を設置し、照明装置同士が近接しても簡単に区別することが出来る。また、照明装置は、このシステムにより、見守り対象者の入浴時間が日常より長い（例えば、いつもは３０分だが１時間を過ぎている等）等、蓄積した照明装置毎の点灯／消灯履歴データから見守り対象者の生活リズムを割り出し、事前に登録された見守り者へメッセージを自動送信して異変を知らせる。例えば、見守り者の外部端末に、「○○様のお風呂が長いようです。ライトが１時間点灯しています。ご確認をお願いします」といった警告メッセージを送信する。
【００２１】
図１に、本実施形態に係る安否確認システム１００の構成を示す。本実施形態に係る安否確認システム１００は、クラウド環境下において安否確認サービスを提供するシステムであって、個々の照明装置１０に実装される電子タグ発信装置（以下、ＬＥＤビーコン１０ａという）の設置位置がクラウドを構成するサーバ（以下、クラウドサーバ３０という）に予め登録される。このため、各ＬＥＤビーコン１０ａは、一意に割り振られた位置ＩＤ番号が重畳された電波を発信する。
【００２２】
また、本実施形態に係る安否確認システム１００は、各ＬＥＤビーコン１０ａから発信される電波を受信し、受信した電波に重畳された位置ＩＤ番号に基づく問い合わせをクラウドサーバ３０に行なう受信機２０と、クラウドサーバ３０により生成される安否確認情報をメッセージとして受信し表示する見守り者が所持する外部端末４０とを含む。受信機２０及び外部端末４０は、モバイルネットワーク５０経由でクラウドコンピューティングシステム（クラウドサーバ３０）に接続される。なお、受信機２０は、見守り対象者を単位に設けられる。
【００２３】
ここでいう「クラウド環境下における安否確認サービス」とは、インターネットを利用したサービスを提供するクラウドコンピューティングシステムを用いて位置情報を提供するサービス形態のことをいう。事業者は、ＬＥＤビーコン１０ａ及びＬＥＤビーコン１０ａを用いたアプリを開発するだけで、自ら提供するサービスを実現するうえで必要なコンピュータ資源を保有することなく、クラウドコンピューティングシステムのコンピュータ資源（クラウドサーバ３０）を利用することでそのサービスの提供を可能にするものであり、利用者は、インターネットに接続可能な環境（受信機２０）にアプリをインストールするだけでそのサービスを享受することができる。
【００２４】
このため、事業者は、予め、ＬＥＤビーコン１０ａ毎に、出荷する施設の位置情報（設置箇所が存在する施設の住所、並びに設置箇所の緯度経度及び施設の設置する階数等）をクラウドサーバ３０に登録する。そして、その位置情報に紐づく位置ＩＤ番号を作成し、ＬＥＤビーコン１０ａに位置ＩＤ番号を付与する。そしてそのＬＥＤビーコン１０ａには、上記の設定が行われ利用される施設（家庭、オフィスまたは公共施設でもよい）へ出荷される。図２（ａ）（ｂ）に、図１に示すＬＥＤビーコン１０ａから送信される位置ＩＤ番号のデータフォーマット、クラウドサーバ３０が有するＤＢ（データベース）に格納される管理情報のデータ構造の一例が、それぞれ示されている。
【００２５】
図２（ａ）によれば、１６バイトのデータのうち、先頭の１バイトに電子タグ（ＬＥＤビーコン１０ａ）であることを示す識別子を、次の１バイトに暗号パターンの種類を示す暗号方式を、次の１３バイトに位置ＩＤ番号を、最後の１バイトにチェックコードを割当てている。なお、識別子の情報により、位置ＩＤ番号の１３バイトの領域はデータ領域として用いることが可能であり、これは、例えば、外部インタフェースがある場合に有効である。
【００２６】
図２（ｂ）にクラウドサーバ３０が内蔵するＤＢのデータ構造の一例が示されている。図２（ｂ）によれば、データベースに蓄積される管理情報は、位置ＩＤ番号毎に、照明装置１０を単位として一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号を含む。また、照明装置１０が、設置箇所が存する施設の住所、設置箇所の緯度経度、及び施設が複数階から構成される場合は、設置箇所の階数と紐付けられて管理されている。
【００２７】
すなわち、同じ施設内では、同施設ＩＤ番号となり、施設ＩＤ番号に枝分かれして、施設の設置箇所ごとに内部管理ＩＤ番号が割り振られる。家庭の居住空間を施設として捉えれば、施設内の各部屋は、施設ＩＤ番号がＡ、内部管理ＩＤ番号１〜３が、居間、トイレ、風呂場にそれぞれ割り振られている。
【００２８】
また、施設に設置済みのＬＥＤビーコン１０ａに事故、例えば故障が生じたときを想定する。この場合、故障が生じたＬＥＤビーコン１０ａが、新たに出荷される装置と交換されるため、異なる出荷ＩＤ番号が割り振られた別のＬＥＤビーコン１０ａになる。この場合、故障したＬＥＤビーコン１０ａの出荷ＩＤ番号を参照することで、同一の施設ＩＤ番号及び内部管理ＩＤ番号が割り振られたＬＥＤビーコン１０ａを出荷することが可能になり、故障時にもサービスに影響がでない。なお、施設内に複数のＬＥＤビーコン１０ａを設置し、複数の内部管理ＩＤ番号を有することで、新しい装置の出荷までの時間帯のサービス停止もなくなる。
【００２９】
以下、図３のシーケンス図を参照しながら本実施形態に係る安否確認システム１００の処理動作について説明する。まず、管理者である見守り者等が受信機２０を操作してクラウドサーバ３０をアクセスすることにより、クラウドサーバ３０からアプリ（本実施形態に係る受信機プログラム）をダウンロードにより取得する。そして、見守り者が、受信機２０に表示される、例えば、図８の左欄に画面構成の一例示す設定アプリの設定画面を参照し、「管理者設定」を選択すると、図１１に画面構成の一例を示す管理者設定画面に遷移する。ここで、見守り者が必要情報を入力すると、クラウドサーバ３０から管理画面をアクセスするために必要なＵＲＬ（Uniform Resource Locator）、及び利用者ＩＤ，パスワードを取得することができる。
【００３０】
見守り者は、取得したＵＲＬ等に基づき管理画面にログインすると（ステップＳ１０）、受信機２０のブラウザを介して図８の右欄に画面構成の一例を示す管理画面メニューが表示される。続いて見守り者は、メニュー選択により、クラウドサーバ３０に、照明装置の設置箇所の設定（居間かトイレか風呂場か等）、安否通知ルールの設定、通知先の設定等、管理画面の設定登録を行う（ステップＳ１１）。なお、見守り者は、メニュー選択により、蓄積したデータに基づき、例えば、図１２にその画面構成の一例を示す照明装置１０のＯＮ／ＯＦＦ履歴の参照も可能である。ここで設定登録された情報は、クラウドサーバ３０に送信される（ステップＳ１２）。
【００３１】
クラウドサーバ３０は、受信機２０により送信された設定登録情報からＤＢに記憶する管理情報を生成する（ステップＳ１３）。ここでいう管理情報とは、図２（ｂ）に示す、施設内に設置されたＬＥＤビーコン１０ａの位置ＩＤ番号毎に一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号の組である。また、照明装置１０が、設置箇所が存する施設の住所、設置箇所の緯度経度、及び施設が複数階から構成される場合は設置箇所の階数と紐付けられて管理されてもよい。
【００３２】
以上の前処理の後、受信機２０が、ある照明装置の点灯を契機にＬＥＤビーコン１０ａからユニークな位置ＩＤ番号を含む電波を、その電波の受信可能範囲内で受信したとする（ステップＳ１４）。電波を受信した受信機２０は、クラウドサーバ３０に問い合わせを行う（ステップＳ１５）。なお、クラウドサーバ３０は、受信機２０から問い合わせを受信する毎に該当の照明装置１０の点灯／消灯履歴を蓄積しており、その履歴を参照することにより、設定登録された安否通知ルールに基づき安否情報の生成を行う（ステップＳ１６）。
【００３３】
クラウドサーバ３０は、受信機２０から問い合わせを受けると、該当の照明装置１０の点灯／消灯履歴を参照し、予め設定登録された安否通知ルールにしたがい、例えば、トイレの照明装置１０が１時間以上継続して点灯していた場合、異常（トイレで倒れているかもしれない）と判定し、あるいは、夜間の７時から１０時に居間の照明が点灯しない場合、異常（寝込んでいるかもしれない）と判定し、例えば、図１に示すように、「○○さんがライトを利用されていないようです。時間：○時○分〜○時○分。ご確認願います。○○さんの連絡先０９０−××××−××××」のようなメッセージ（安否確認メール）を生成し（ステップＳ１７）、予め通知者設定された見守り者が所持する外部端末４０へ送信する（ステップＳ１７）。この安否確認メールは、外部端末４０に表示され、これを閲覧した見守り者は、電話連絡、あるいは現地に出向いて見守り者の安否確認が可能である（ステップＳ１８）。
【００３４】
図４にＬＥＤビーコン１０ａの構成が示されている。ＬＥＤビーコン１０ａは、制御部１００ａと、ＲＦ（Radio  Frequency）部１０１ａとを含み構成される。ＲＦ部１０１ａは、不図示の信号源、変調回路、電力増幅器を含む電波生成のための高周波エネルギーを発生する高周波回路である。本実施形態では、２．４ＧＨｚ帯の周波数を用い、半径１０〜１００ｍ範囲内に位置するＢｌｕｅｔｏｏｔｈ（登録商標）搭載機器（受信機２０）に対し、制御部１００ａによる制御の下で生成される電波を送信する。ここでは、ボタン電池１個のみで数年駆動を可能とするバーション４．０のＢｌｕｅｔｏｏｔｈ（登録商標）規格に準拠した単方向送信の仕様とする。
【００３５】
制御部１００ａは、照明装置１０の設置箇所（居間、トイレ、寝室、玄関等）を特定する位置ＩＤ番号をブロードキャスト送信するが、このとき、位置ＩＤ番号を１以上の暗号化パターンで暗号化し、この暗号化パターンの種類を示す情報を付加して送信する。このため、制御部１００ａは、図２（ａ）に示すデータフォーマットからなる位置ＩＤ番号をＲＦ部１０１ａにより生成される電波に重畳させて送信する制御を行う。
【００３６】
なお、制御部１００ａは、位置ＩＤ番号を含む情報をｎ秒周期で送信する中で、ｍ秒（但し、ｎ＞ｍ）シフトして送信する周期をランダムに挿入して送信する制御も行なう。これは、複数のＬＥＤビーコン１０ａが同時に電波を発信すると、受信機２０で一方のＬＥＤビーコン１０ａからのデータを処理しても他方のＬＥＤビーコン１０ａからのデータを処理できない事態に陥ることに起因する。すなわち、Ｂｌｕｅｔｏｏｔｈ（登録商標）の仕様ではコリジョン（アクセスの衝突）が発生した場合、先に受信した方を優先的に処理して僅かでも遅れた方を処理しないことがあるためである。このため、例えば、２秒の発信周期とし、その中で、時々、例えば０．５秒から１秒程度シフトした周期を挿入することで、複数のＬＥＤビーコン１０ａが同時に電波を発信してしまい他方を処理することができなくなるリスクを回避することができる。
【００３７】
なお、ＬＥＤビーコン１０ａが発信するデータは、傍受による不正利用を防ぐことを目的とした場合、定期的に変更することが求められる。そのため、暗号方式を一定期間で自動変更する処理を行うことで、傍受のリスクを低減できる。
【００３８】
図５に受信機２０の構成を示す。図５に示すように、受信機２０は、制御部２００と、記憶部２１０と、通信部２２０と、操作部２３０と、表示部２４０と、近距離無線通信部２５０とを含み構成される。受信機２０は、ＬＥＤビーコン１０ａから発信される電波の受信許容範囲内に設置され、スマートホン、あるいは固定した場所に据え付けられるネットワーク接続環境を有する専用機で構成される。
【００３９】
制御部２００は、例えば、マイクロプロセッサで構成され、記憶部２１０のプログラム領域にインストールされたアプリを逐次読み出し実行することにより、ＬＥＤビーコン１０ａから位置ＩＤ番号を取得して認識し、当該認識した位置ＩＤ番号に基づきクラウドサーバ３０に問い合わせを行う受信機２０としての機能を実行する。ここで問い合わせとは、クラウドサーバ３０により蓄積される照明装置１０毎の点灯／消灯履歴の作成及び参照要求をいう。
【００４０】
このため、制御部２００が実行するアプリの機能をブロック展開して示せば、ＩＤ番号認識部２０１と、アプリケーション実行制御部２０２とを含み構成される。ＩＤ番号認識部２０１は、施設内に設置されたＬＥＤビーコン１０ａから、電波によってブロードキャスト送信される、照明装置１０の設置箇所が特定される位置ＩＤ番号を取得し、認識してアプリケーション実行制御部２０２に引き渡す。
【００４１】
アプリケーション実行制御部２０２は、ＩＤ番号認識部２０１が認識した位置ＩＤ番号に基づきクラウドサーバ３０に該当する照明装置１０の点灯／消灯履歴の問い合わせを行なう。クラウドサーバ３０は、その問い合わせに基づき、蓄積した該当の照明装置１０の点灯／消灯履歴を参照して見守り対象者の安否確認情報を生成し、その安否確認情報をモバイルネットワーク５０経由で見守り者が所持する外部端末４０へ送信する。また、アプリケーション実行制御部２０２は、受信機２０が上記の機能を実現するため、予め見守り者等によって入力される、照明装置１０の設置箇所、安否通知ルール、通知先の設定登録も行なう。制御部２００は、更に、ＬＥＤビーコン１０ａから受信した電波の電波強度（ＲＳＳＩ：Received  Signal  Strength  Indication）を測定する電波強度測定部２０３を含んでもよい。
【００４２】
記憶部２１０には、本実施形態に係る受信機２０のプログラム（アプリ）が格納されるプログラム領域の他に、作業領域が割当てられ、記憶されている。プログラム領域に格納される受信機プログラムは、少なくとも、照明装置１０の点灯／消灯に応じて電波を発信する、照明装置１０から発信される電波を受信する処理手順と、クラウドコンピューティングシステムを構成するクラウドサーバ３０に、受信した電波に含まれるＬＥＤビーコン１０ａの位置ＩＤ番号に基づく問い合わせを行う処理手順と、を含む。なお、クラウドサーバ３０が、受信機２０からの位置ＩＤ番号に基づき、予め定められた条件（安否通知ルール）に応じて、照明装置１０の点灯／消灯に係る履歴情報を見守り対象者の安否情報として見守り者の外部端末４０に通報するために、位置ＩＤ番号は、ＬＥＤビーコン１０ａを単位として一意的に割り振られる出荷ＩＤ番号、ＬＥＤビーコン１０ａが設置される施設を単位として割り振られる施設ＩＤ番号、及び出荷ＩＤ番号に紐付けられ、かつ、施設ＩＤ番号ごとに施設における設置箇所を単位として割り振られる内部管理ＩＤ番号を含む。
【００４３】
作業領域には、受信機プログラムの実行過程で生成される各種データが格納される。ここに格納されるデータは、例えば、予め見守り者によって設定登録される、照明装置１０の設置箇所、安否通知ルール、通知先等の情報であり、また、問い合わせの履歴、ＶＲＡＭ（Video RAM）等である。なお、記憶部２１０には、例えば、半導体記憶素子、磁気、あるいは光記憶素子が実装される。
【００４４】
通信部２２０は、無線通信システムを捕捉し、モバイルネットワーク５０に接続される不図示の基地局との間で無線通信を行い、各種データの送受信を行う。ここで、各種データとは、音声通話時の音声データ、メール送受信時のメールデータ、Ｗｅｂ（World  Wide  Web）閲覧時のＷｅｂページデータ等である。通信部２２０は、例えば、ＴＣＰ／ＩＰ（Transmission  Control  Protocol／Internet  Protocol）に準拠したプロトコルにしたがい、モバイルネットワーク５０を経由してクラウドサーバ３０との間で通信を行う。
【００４５】
操作部２３０は、例えば、電源キー、通話キー、数字キー、文字キー、方向キー（左右上下）、決定キー、発信キー等、各種の機能が割り当てられたキースイッチを有しており、これらのキーがユーザによって操作された場合に、その操作内容に対応する信号を生成し、これをユーザの指示として制御部２００に出力する。表示部２４０は、多数の画素（複数色の発光素子の組み合わせ）を縦横に配して構成される、例えばＬＣＤ（Liquid  Crystal  Display  Device）や有機ＥＬ（Electro-Luminescence）を用いて構成されており、制御部２００により生成され、記憶部２１０の所定の領域（ＶＲＡＭ領域）に書き込まれた情報を表示する。
【００４６】
なお、上記した操作部２３０と表示部２４０は、タッチパネルで実現してもよい。この場合、タッチパネル上に表示されるメニューアイコンの中からユーザが選択操作することにより、照明装置１０の設置箇所、安否通知ルール、通知先等の設定登録が行われ、例えば、図８（ａ）（ｂ）、図９〜図１２に示す画像を表示することができる。
【００４７】
近距離無線通信部２５０は、ＬＥＤビーコン１０ａにより発信される電波を受信し、重畳された位置ＩＤ番号を抽出して制御部２００に引き渡す。近距離無線通信部２５０は、Ｂｌｕｅｔｏｏｔｈ（登録商標）に準拠して通信を行うものとし、本来は、２．４ＧＨｚ帯を７９の周波数チャネルに分け、利用する周波数をランダムに変える周波数ホッピングを行いながら、半径１０〜１００ｍ範囲に位置する他のＢｌｕｅｔｏｏｔｈ（登録商標）機器と、最大２４ｂｐｓで双方向無線通信が可能であるが、ここでは、同規格でＬＥＤビーコン１０ａからの電波受信の単方向無線通信のみ使用することにする。
【００４８】
（実施形態の動作）
以下、図６のフローチャートを参照しながら本実施形態に係る受信機２０の動作すなわち安否確認方法について詳細に説明する。
【００４９】
ここでは、見守り者等が既に管理者の設定登録を済ませており、クラウドサーバ３０から管理画面のＵＲＬ等を取得しているものとする。見守り者が受信機２０を操作してクラウドサーバ３０のＵＲＬに基づく管理画面にログインすると（ステップＳ１０１）、受信機２０のブラウザに、図８（ｂ）に画面構成の一例を示す管理画面メニューが表示される。見守り者は、メニュー選択により、クラウドサーバ３０に、照明装置の設置箇所の設定（ステップＳ１０２）、安否通知ルールの設定（ステップＳ１０３）、通知先の設定（ステップＳ１０４）等、管理画面の設定登録を行う。なお、設定登録の順序は任意である。ここで設定登録された情報は、クラウドサーバ３０に逐一送信される（ステップＳ１０５）。
【００５０】
上記の設定登録操作後、受信機２０は、近距離無線通信部２５０が、ＬＥＤビーコン１０ａから発信される電波の監視を開始する（ステップＳ１０６）。近距離無線通信部２５０は、電波の受信を検知すると、この電波に重畳され、図２（ａ）に示すデータフォーマットからなる位置ＩＤ番号を制御部２００に引き渡す。これを受け、制御部２００は、ＩＤ番号認識部２０１がその位置ＩＤ番号を取得し、先頭バイトに示される識別子を参照して電子タグであることを識別すると、続く位置ＩＤ番号を、暗号方式で定義された暗号パターンに基づき復号してアプリケーション実行制御部２０２に引き渡す（ステップＳ１０７）。
【００５１】
アプリケーション実行制御部２０２は、通信部２２０を起動して、モバイルネットワーク５０経由でクラウドサーバ３０に接続し、復号した位置ＩＤ番号に基づく照明装置１０の点灯／消灯履歴の問い合わせを行う（ステップＳ１０８）。なお、クラウドサーバ３０は、受信機２０から問い合わせを受信する毎に該当の照明装置１０の点灯（消灯）履歴を蓄積しており、その履歴を参照することにより、設定登録された安否通知ルールに基づく安否情報の生成を行う。
【００５２】
図７に、クラウドサーバ３０の処理手順が示されている。図７によれば、クラウドサーバ３０は、受信機２０から管理画面へのログイン要求を受信すると（ステップＳ２０１“ＹＥＳ”）、図９〜図１１にその画面構成の一例を示す、照明装置１０の設置箇所、安否通知ルール、通知先設定のための管理画面情報をそれぞれ生成し、要求のあった受信機２０へ送信する（ステップＳ２０２）。続いて、受信機２０からその管理画面に対する必要情報の入力があると（ステップＳ２０３“ＹＥＳ”）、その設定登録情報を取り込み、ＤＢに記憶するための管理情報を生成する（ステップＳ２０４）。
【００５３】
ここでいう管理情報とは、図２（ｂ）に示す、施設内に設置されたＬＥＤビーコン１０ａの位置ＩＤ番号毎に、一意的に割り振られる出荷ＩＤ番号、施設を単位に割り振られる施設ＩＤ番号、及び出荷ＩＤ番号に紐付けられ、かつ、施設ＩＤ番号ごとに設置箇所を単位として割り振られる内部管理ＩＤ番号の組である。また、照明装置１０が、設置箇所が存する施設の住所、設置箇所の緯度経度、及び施設が複数階から構成される場合は設置箇所の階数と紐付けられて管理されてもよい。
【００５４】
一方、クラウドサーバ３０は、受信機２０から位置ＩＤ番号に基づく問い合わせを受信すると（ステップＳ２０５“ＹＥＳ”）、蓄積された該当の照明装置１０の点灯／消灯履歴を参照し、事前に設定登録された安否通知ルールに基づき安否確認情報を生成する（ステップＳ２０６）。クラウドサーバ３０は、予め設定登録された安否通知ルールにしたがい、例えば、トイレ照明が１時間以上継続して点灯していた場合に異常（トイレで倒れているかもしれない）と判定し、あるいは、夜間の７時から１０時に居間の照明が点灯しない場合に異常（寝込んでいるかもしれない）と判定し、例えば、図１に示すように、「○○さんがライトを利用されていないようです。時間：○時○分〜○時○分。ご確認願います。○○さんの連絡先０９０−××××−××××」のようなメッセージ（安否確認メール）を生成し、モバイルネットワーク５０経由で、予め通知先設定された見守り者の外部端末４０へ送信する（ステップＳ２０７）。この安否確認メールは、外部端末４０に表示され、これを閲覧した見守り者は、電話連絡、あるいは現地に出向いて見守り対象者の安否確認が可能である。
【００５５】
（実施形態の効果）
以上説明のように本実施形態に係る安否確認システム１００は、クラウド環境下における安否確認システム１００であって、クラウドを構成するサーバ（クラウドサーバ３０）と、設置された施設及び施設内での設置箇所に係る位置ＩＤ番号が予めサーバに登録され、点灯又は消灯に応じて電波を発信する照明装置１０（ＬＥＤビーコン１０ａが実装されている）と、照明装置１０からの電波を受信し、位置ＩＤ番号に係る問い合わせをクラウドサーバ３０に行う受信機２０と、により構築される。そして、そのクラウドサーバ３０が、受信機２０からの位置ＩＤ番号に基づき、予め定められた条件（安否通知ルール）に応じて、照明装置１０の点灯／消灯に係る情報を見守り対象者の安否情報として見守り者の外部端末４０に通報する。したがって、本実施形態に係る安否確認システム１００によれば、人間が生活するうえにおいて必須である「照明」の点灯／消灯によって見守り対象者の行動を把握することができ、かつ、監視カメラ等を必要としないため見守り対象者が常に監視されているという認識を持たずに済む、簡単で安価にシステム構築が可能である。
【００５６】
また、本実施形態に係る安否確認システム１００によれば、特に、事業者サイドは、クラウドコンピューティングシステムの利用により、必要なコンピュータ資源（事業者管理サーバ）の保有が不要で同じ位置情報サービスが提供できるため、そのための維持管理コストの削減が可能になる。また、経年劣化により、照明装置１０に実装される電子タグ発信装置（ＬＥＤビーコン１０ａ）の故障は無視できないが、この場合、故障したＬＥＤビーコン１０ａの出荷ＩＤ番号を参照することで、同じ内部管理ＩＤ番号を付与したＬＥＤビーコン１０ａで代替することが可能になるため、サービスを一時停止する等の処置も不要になって連続したサービスを提供できる。なお、施設内に複数のＬＥＤビーコン１０ａを設置し、複数の内部管理ＩＤ番号を有することで、新しい装置の出荷までの時間帯のサービス停止もなくなる。
【００５７】
また、本実施形態に係る受信機２０は、クラウド環境下における安否確認システム１００と接続された受信機２０である。そして、その受信機２０は、点灯又は消灯に応じて電波を発信する照明装置１０（ＬＥＤビーコン１０ａが実装されている）から発信される電波を受信し、クラウドを構成するサーバ（クラウドサーバ３０）に、受信した電波に含まれる照明装置１０の位置ＩＤ番号に基づく問い合わせを行う制御部（ＩＤ番号認識部２０１とアプリケーション実行制御部２０２）を備える。そして、クラウドサーバ３０が、当該受信機２０からの位置ＩＤ番号に基づき、予め定められた条件（安否通知ルール）に応じて、照明装置１０の点灯又は消灯に係る情報を見守り対象者の安否情報として見守り者の外部端末４０に通報するために、位置ＩＤ番号が、照明装置１０を単位として一意的に割り振られる出荷ＩＤ番号、施設を単位として割り振られる施設ＩＤ番号、及び出荷ＩＤ番号に紐付けられ、かつ、施設ＩＤ番号ごとに前記設置箇所を単位として割り振られる内部管理ＩＤ番号を含む。
【００５８】
本実施形態に係る受信機２０によれば、受信機２０が、照明装置１０とクラウドコンピューティングシステム（クラウドサーバ３０）とを仲介する構成とすることで、簡単で安価に安否確認システム１００の構築が可能になる。具体的に、クラウドサーバ３０は、受信機２０に対し、照明装置１０の設置箇所、安否通知ルール、通知先等を設定登録する環境を提供して管理者に設定登録を促し、照明装置１０毎に実装される電子タグ発信装置（ＬＥＤビーコン１０ａ）からの電波を受信してクラウドサーバ３０に問い合わせを行うだけで、照明装置１０の点灯又は消灯に係る情報を見守り対象者の安否情報として見守り者の外部端末４０に通報することができる。すなわち、人間が生活するうえにおいて必須である「照明」の点灯／消灯によって見守り対象者の行動を把握することができ、かつ、この仕組みによれば、見守り対象者は監視されているという認識を持たずに済み、苦痛を感じることはない。
【００５９】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６０】
１０    照明装置
１０ａ  電子タグ発信装置（ＬＥＤビーコン）
２０    受信機
３０    クラウドサーバ
４０    外部端末
５０    モバイルネットワーク
１００ａ  制御部（電子タグ発信装置）
１０１ａ  ＲＦ部
２００  制御部（受信機）
２０１    ＩＤ番号認識部
２０２    アプリケーション実行制御部
２０３    電波強度測定部
２１０    記憶部
２２０    通信部
２３０    操作部
２４０    表示部
２５０    近距離無線通信部